(57)【要約】【課題】複数の機器を用いたダム放流業務の訓練を遠隔でシミュレーション可能なダム放流業務シミュレーションシステムを提供する。【解決手段】ダム操作訓練サーバ２０が、機器操作マニュアル情報２１０と、実施手順情報２１１とが格納されたデータベース２１と、複数の機器を仮想的に選択可能に外部端末１０に表示し、選択された機器の複数の操作内容を機器操作マニュアル情報２１０から取得すると共にその操作内容を仮想的に選択可能に外部端末１０に表示し、外部端末１０で選択された操作内容の仮想の実施状況を外部端末１０に表示するシミュレーション実行手段２２と、システム利用者が選択した１つの操作内容をダム放流業務の１工程とし、ダム放流業務の各工程の実施順を工程実施順データとして記憶すると共に、予め設定された仮想ダム状況及び実施手順情報２１１に基づいて工程実施順データの正誤を判定する実施順判定手段２４とを有するようにする。【選択図】図１
2008040354.tif 000002
【特許請求の範囲】
【請求項１】
システム利用者が外部端末から所定のネットワークを経由して接続可能であると共に前記外部端末での操作により複数の機器を用いたダム放流業務のシミュレーションを可能とするダム操作訓練サーバを備え、
前記ダム操作訓練サーバは、前記複数の機器の操作内容に関する情報を含む機器操作マニュアル情報と、ダム状況に応じた各機器の操作手順を含む前記ダム放流業務の正しい実施手順の情報である実施手順情報とが少なくとも格納されたデータベースと、
前記複数の機器を仮想的に選択可能に前記外部端末に表示し、当該外部端末で選択された機器の複数の操作内容を前記機器操作マニュアル情報から取得すると共に取得した操作内容を仮想的に選択可能に前記外部端末に表示し、前記外部端末で選択された操作内容の仮想の実施状況を当該外部端末に表示するシミュレーション実行手段と、
前記シミュレーション実行手段が表示した操作内容から前記システム利用者が選択した１つの操作内容を前記ダム放流業務の１工程とし、前記ダム放流業務の各工程の実施順を工程実施順データとして記憶すると共に、予め設定された仮想ダム状況及び前記実施手順情報に基づいて前記工程実施順データの正誤を判定する実施順判定手段とを有することを特徴とするダム放流業務シミュレーションシステム。
【請求項２】
前記機器操作マニュアル情報が、ダム監視を行うダム情報処理装置および、ダムゲート制御を行なうダムゲート制御装置から構成されるダムゲート制御情報処理システム、放流警報装置、操作記録プリンタ、観測記録プリンタ、通信端末からなる群から選択される少なくとも何れか１つの機器の操作内容に関する情報であることを特徴とする請求項１に記載のダム放流業務シミュレーションシステム。
【請求項３】
前記シミュレーション実行手段が、前記ダム操作訓練サーバに同時に接続された複数の前記外部端末に対して、それぞれ異なる機器を仮想的に選択可能に表示し、各外部端末で選択された機器の操作内容を、他の外部端末で選択された機器の操作内容に基づいて前記機器操作マニュアル情報から取得することを特徴とする請求項１又は２に記載のダム放流業務シミュレーションシステム。
【請求項４】
前記機器操作マニュアル情報には、前記複数の機器の少なくとも何れか１つが故障した場合の緊急対応マニュアル情報が含まれており、前記シミュレーション実行手段が、前記外部端末で選択された機器の操作内容を、この緊急対応マニュアル情報を含む前記機器操作マニュアル情報から取得することを特徴とする請求項１〜３の何れかに記載のダム放流業務シミュレーションシステム。
【発明の詳細な説明】
【技術分野】
【０００１】
本発明は、システム利用者が外部端末により所定のネットワークを経由した外部端末での操作により複数の機器を用いたダム放流業務をシミュレーション可能とするダム放流業務シミュレーションシステムに関する。
【背景技術】
【０００２】
従来から、ダムでは、貯えた水をダムゲートの開閉等により河川等に放流するダム放流業務が行われている。このようなダム放流業務では、ダムから安全に放流するため、ダム操作者が雨量や雨の降り方、流入量の増加量等の様々な情報を的確に判断しながら、ダムゲートを操作（ダム操作）することで行われている（例えば、特許文献１参照）。また、ダム放流業務は、河川等に対して人為的に流水を放流するため、社会的に大きな使命を担っている。
【０００３】
このため、ダム放流業務に従事するダム操作者は、現場で実際にダム操作に従事する前に、ダム放流業務を遂行する上で必要な機器操作方法、操作手順等の技術教育を受けている。この技術教育は、例えば、１つの指定場所に多数のダム操作者を集めて、テキストや電子媒体等を利用しながら講師が教壇に立って説明する、いわゆる講義形式により行われたり、或いは、教育訓練用のシミュレータ装置を用いたりして行われる。しかしながら、ダム操作者は、何れにしても、指定された日時に技術教育を受講しなければならず、非常に負担が大きかった。
【０００４】
【特許文献１】特開２０００−１２２７２６号公報（[従来の技術]）
【発明の開示】
【発明が解決しようとする課題】
【０００５】
本発明はこのような事情に鑑み、複数の機器を用いたダム放流業務の訓練を遠隔でシミュレーション可能なダム放流業務シミュレーションシステムを提供することを課題とする。
【課題を解決するための手段】
【０００６】
上記課題を解決する本発明の第１の態様は、システム利用者が外部端末から所定のネットワークを経由して接続可能であると共に前記外部端末での操作により複数の機器を用いたダム放流業務のシミュレーションを可能とするダム操作訓練サーバを備え、前記ダム操作訓練サーバは、前記複数の機器の操作内容に関する情報を含む機器操作マニュアル情報と、ダム状況に応じた各機器の操作手順を含む前記ダム放流業務の正しい実施手順の情報である実施手順情報とが少なくとも格納されたデータベースと、前記複数の機器を仮想的に選択可能に前記外部端末に表示し、当該外部端末で選択された機器の複数の操作内容を前記機器操作マニュアル情報から取得すると共に取得した操作内容を仮想的に選択可能に前記外部端末に表示し、前記外部端末で選択された操作内容の仮想の実施状況を当該外部端末に表示するシミュレーション実行手段と、前記シミュレーション実行手段が表示した操作内容から前記システム利用者が選択した１つの操作内容を前記ダム放流業務の１工程とし、前記ダム放流業務の各工程の実施順を工程実施順データとして記憶すると共に、予め設定された仮想ダム状況及び前記実施手順情報に基づいて前記工程実施順データの正誤を判定する実施順判定手段とを有することを特徴とするダム放流業務シミュレーションシステムにある。
【０００７】
かかる第１の態様では、システム利用者が外部端末からネットワークを経由してダム操作訓練サーバにアクセスし、外部端末の操作で、複数の機器を用いたダム放流業務をシミュレーションすることが可能となるので、ダム放流業務の訓練をどこの場所にいても受けることができる。これにより、システム利用者は、時間等を有効活用することができ、コストの大幅な削減を図ることができる。
【０００８】
本発明の第２の態様は、前記機器操作マニュアル情報が、ダム監視を行うダム情報処理装置および、ダムゲート制御を行なうダムゲート制御装置から構成されるダムゲート制御情報処理システム、放流警報装置、操作記録プリンタ、観測記録プリンタ、通信端末からなる群から選択される少なくとも何れか１つの機器の操作内容に関する情報であることを特徴とする第１の態様のダム放流業務シミュレーションシステムにある。
【０００９】
かかる第２の態様では、実際のダム放流業務で用いる各種機器と同じマニュアル情報をデータベースに格納することで、より実際のダム放流業務に近い形で、ダム放流業務の訓練を行うことができる。
【００１０】
本発明の第３の態様は、前記シミュレーション実行手段が、前記ダム操作訓練サーバに同時に接続された複数の前記外部端末に対して、それぞれ異なる機器を仮想的に選択可能に表示し、各外部端末で選択された機器の操作内容を、他の外部端末で選択された機器の操作内容に基づいて前記機器操作マニュアル情報から取得することを特徴とする第１又は２の態様のダム放流業務シミュレーションシステムにある。
【００１１】
かかる第３の態様では、複数のシステム利用者の連携操作によるダム放流業務の訓練を行うことができる。さらには複数のダムで連系したダム放流業務の訓練を行うことができるようになる。
【００１２】
本発明の第４の態様は、前記機器操作マニュアル情報には、前記複数の機器の少なくとも何れか１つが故障した場合の緊急対応マニュアル情報が含まれており、前記シミュレーション実行手段が、前記外部端末で選択された機器の操作内容を、この緊急対応マニュアル情報を含む前記機器操作マニュアル情報から取得することを特徴とする第１〜３の何れかの態様のダム放流業務シミュレーションシステムにある。
【００１３】
かかる第４の態様では、機器事故等のトラブル発生時に、迅速且つ適正に対応するための訓練を行うことができる。
【発明を実施するための最良の形態】
【００１４】
以下、本発明を実施形態に基づいて詳細に説明する。
【００１５】
実際のダム及びその周辺には、ダム放流業務を行うにあたり様々なダム設備が設けられている。ダム設備としては、例えば、ダム上流域の雨量を計測する上流雨量計、上流の河川水位を計測する上流河川水位計、上流雨量計及び上流河川水位計からのデータを送信する送信機等の上流設備や、この上流設備の送信機から送信されるデータを受信する受信機、ダム付近の雨量を計測するダム雨量計、ダムの貯水位を計測するダム水位計、ダムゲートを開閉させるゲート開閉装置、ダムゲートの開度を計測するゲート開度計等がある。
【００１６】
また、このようなダム設備からの情報は、リアルタイムでダム管理所において取得可能であり、ダム管理所では、このダム設備からの情報に基づいて、複数の機器を用いたダム放流業務、例えば、ダムゲートの開閉操作等のダム操作を実施している。ダム放流業務で用いる機器としては、例えば、ダム監視や各種データ処理等を行うためのダム情報処理装置とダムゲート制御を行なうダムゲート制御装置とから構成されるダムゲート制御情報処理システム、遠方操作盤、観測記録プリンタ、操作記録プリンタ、ダム水位計、放流警報装置及び通信端末等が挙げられる。
【００１７】
ここで、操作記録プリンタは、日付、時間、貯水位、所定時間間隔における水位差、貯水量、ゲート開度、ゲート放流量、ダム放流量、発電使用水量、責任放流量、貯水池放流量、流入量、予想流入量、及び予定（目標）放流量等、ダム操作状況に関するデータを出力するものである。また、観測記録プリンタは、日付、時間、上流雨量、上流河川水位等、水文諸量のデータを出力するものである。さらに、ダム情報処理装置は、ダム監視、例えば、ダムに備えられた各ダム設備の運転状態の監視や、ダム操作状況（例えば、ダム雨量、水位、流入量等）の監視を行い、さらに流入量の変化の予測等の演算処理を行うものである。通信端末としては、電話やＦＡＸ等が挙げられる。
【００１８】
以下、上述した複数の機器を用いたダム放流業務をシミュレーション可能とする本発明のダム放流業務シミュレーションシステムについて説明する。図１は、本発明の一実施形態に係るダム放流業務シミュレーションシステムを示す概略構成図である。また、図２〜図４は、本発明の一実施形態に係る外部端末の画面の一例を示す概略図である。
【００１９】
図１に示すように、本実施形態のシステムは、システム利用者が操作する外部端末１０と、複数の機器を用いたダム放流業務のシミュレーションを可能とするダム操作訓練サーバ２０とを備え、外部端末１０は、例えば、インターネット、イントラネット等の所定のネットワーク３０を経由してダム操作訓練サーバ２０にアクセス可能となっている。
【００２０】
ダム操作訓練サーバ２０は、上述した実際のダム設備において実施するダム放流業務のシミュレーションに必要な情報を格納するデータベース２１を有する。具体的には、このデータベース２１には、例えば、ダム放流業務に用いる複数の各機器の操作内容に関する情報を含む機器操作マニュアル情報２１０、ダム状況に応じた各機器の操作手順を含むダム放流業務の正しい実施手順の情報である実施手順情報２１１がそれぞれ格納されている。
【００２１】
なお、本実施形態では、機器操作マニュアル情報２１０は、各機器の操作内容に関する情報と共に、ダム放流業務として行う各種業務内容に関する情報を含み、例えば、予備警戒時、放流開始時、洪水警戒時、洪水時、放流終了時等の各ダム状況に応じた業務内容や、各業務内容に必要な各機器の操作内容の情報を含む。すなわち、各機器の操作内容の情報が、上記業務内容に関する情報、ダム状況等に関連付けられて機器操作マニュアル情報２１０としてデータベース２１に格納されている。機器操作マニュアル情報２１０としては、具体的には、ダム状況が「予備警戒時」の場合に「ダム操作を行うために必要な機械及び器具の点検を行う」旨の情報や、ダム状況が「ダム放流開始」の場合に「サイレン吹鳴を行う」・「ゲート操作をダム操作規定に定める放流量の増減の方法により行う」旨の情報、或いは、ダム状況が「洪水警戒時」の場合に「予備警戒時で行なう業務に加え流入量の時間的変化の予測点検を行う」・「ダム操作規定により貯水池から必要な流水を放流する」旨の情報等が挙げられる。
【００２２】
この他に、機器操作マニュアル情報２１０としては、例えば、ダム状況が「洪水時」の場合に「（Ａ）洪水時に至ったときからダムの全てのゲートが全開となるまでの間、流入量に相当する流量を放流する操作を行う」・「（Ｂ）前記（Ａ）に規定する時が経過した時から流入量が最大となった時を経て貯水位が常時満水位に等しくなるまでの間、ダムの全てのゲートを全開にした時の流量を放流する操作を行う」・「（Ｃ）前記（Ｂ）に規定する時が経過した時から洪水時が経過するまでの間、流入量に相当する流量を放流する操作を行う」旨の情報や、ダム状況が「洪水処理時」の場合に「流入量が再び増加を始めたときには、前記（Ａ）、（Ｂ）及び（Ｃ）により行う」旨の情報、ダム状況が「洪水処理時から放流終了まで」の場合に「ゲート操作をダム操作規定に定める放流量の増減の方法により行う」旨の情報が挙げられる。
【００２３】
なお、上述した「放流量の増減の方法」とは、下流の河川の急激な水位変動による危害防止のために、洪水量（ダム下流地域の民有地の耕作その他に一般災害が生じない最大限の流量に対するダムの地点の流量）までの放流量の増加又は減少の割合の最大限度を規定するものである。また「ダム操作規定」とは、河川法の規定により、ダムを設置しようとする者が、そのダムを水の貯留又は取水の目的で用いる場合に、政令に基づいて予め定めて河川管理者の承認を受けなければならないダムの操作方法に関する規定のことである。
【００２４】
また、上述した機器操作マニュアル情報２１０には、複数の機器の少なくとも何れか１つが故障した場合や、ダム放流業務を実施中に各種トラブルが生じた場合等の対策方法である緊急対応マニュアル情報が含まれていてもよい。緊急対応マニュアル情報としては、例えば、水車・発電機トリップ（発電取水停止）の故障やゲート重故障が発生した場合に「ゲートによる代替放流操作を行う」旨の情報、ダムゲート制御情報処理システム故障が発生した場合に「ゲート放流量分配計算を行い、ゲート放流操作を行う」旨の情報、ゲート異常開の故障が生じた場合に「サイレン吹鳴、ゲート閉操作を行う」旨の情報等が挙げられる。
【００２５】
一方、実施手順情報２１１は、ダム状況に応じた各機器の操作手順を含むダム放流業務の正しい実施手順に関する情報である。ダム放流業務としては、例えば、「気象情報の収集」、「ダム流域内の水文諸量の確認」、「時間雨量及び累計雨量の計測」、「貯水池の水位の計測」、「ゲートの開度調整」、「放流量及び貯水池への流入量等の記録」、「出水予測等を行う」等が挙げられる。そして、これらダム放流業務の各業務内容（工程）のダム状況に応じた正しい実施手順が実施手順情報２１１としてはデータベース２１に格納されている。
【００２６】
なお、データベース２１には、上述した機器操作マニュアル情報２１０や実施手順情報２１１の他に、例えば、総雨量・最大流入量表、最大流入量までの時間と減水時間表、ダム放流開始要否検討書、所定時間後平均雨量と流入量表等の出水予測・放流計画情報を格納してもよい。
【００２７】
また、本実施形態のダム操作訓練サーバ２０は、ダム放流業務のシミュレーションを可能とするシミュレーション実行手段２２と、システム利用者によるダム放流業務シミュレーションの各業務内容（工程）の実施手順の正誤を判定する実施順判定手段２４とを有する。このダム操作訓練サーバ２０では、システム利用者の外部端末１０によるアクセスを許可した後、外部端末１０の操作、具体的には、キーボードやマウス操作等により、シミュレーション実行手段２２等によって複数の各機器を用いたダム放流業務のシミュレーションが実施される。なお、シミュレーション実行手段２２は、ダム操作訓練サーバ２０に設けられた送受信手段２３を介して外部端末１０と情報通信可能となっている。
【００２８】
シミュレーション実行手段２２は、具体的には、ダム放流業務に用いられる複数の機器を仮想的に選択可能に外部端末１０に表示し、外部端末１０で選択された機器の操作内容を機器操作マニュアル情報２１０から取得すると共に取得した操作内容を仮想的に選択可能に外部端末１０に表示し、外部端末１０で選択された操作内容の仮想の実施状況を外部端末１０に表示する。そして、このようなシミュレーション実行手段２２による機器及び各機器の操作内容の外部端末１０への表示と、外部端末１０に表示された機器及び各機器の操作内容のシステム利用者による選択とを繰り返すことによって、ダム放流業務のシミュレーションが実施される。
【００２９】
ここで、ダム放流業務には、上述した各ダム状況に応じた業務内容及び実施手順がある。例えば、ダム状況が「予備警戒時」の場合、ダム操作規定に基づく実際の業務としては、まずは「気象情報の収集」を行う。次に、「ダム及び流域内の時間雨量及び累計雨量、貯水池の水位、ゲートの開度、放流量及び貯水池への流入量等の記録」を行う。そして「関係機関への通報」を行なう。また必要により、ダム放流の要否等を検討するため「出水予測」を行う。
【００３０】
そして、本発明に係るダム放流業務シミュレーションシステムでは、このような実際の業務内容及びその実施手順を確実にシミュレーションできるようにするために、シミュレーションを開始するにあたり、シミュレーション実行手段２２がまずは仮想のダム状況を任意に設定して外部端末１０に表示する。そして、システム利用者は、この仮想のダム状況に最適なダム放流業務の実施手順を考慮しながら、上述した機器の選択、あるいは操作内容の選択を行う。すなわち、システム利用者が外部端末１０に表示された各種機器及び操作内容を、各ダム状況、例えば、「予備警戒時」、「放流開始時」、「洪水警戒時」、「洪水時」、「放流終了時等」、に応じて適宜選択することで、ダム放流業務をシミュレーションすることができる。なお、詳しくは後述するが、本発明に係るダム放流業務シミュレーションシステムでは、各ダム状況に適切なダム放流業務を体験あるいは確認することができる。
【００３１】
システム利用者が外部端末１０からダム操作訓練サーバ２０にアクセスしてダム放流業務のシミュレーションが開始されると、シミュレーション実行手段２２が、まずは、仮想のダム状況を設定して画面に表示すると共に、ダム放流業務に用いられる複数の機器を仮想的に選択可能に外部端末１０の画面１１に表示する。例えば、図２に示すように、シミュレーション実行手段２２が、仮想のダム状況として「予備警戒時」を設定して外部端末１０の画面に表示し、また複数の機器として、「ダムゲート制御情報処理システム」１００、「遠方操作盤」１０１、「操作記録プリンタ」１０２、「観測記録プリンタ」１０３及び「通信端末」１０４を、仮想的に選択可能に外部端末１０の画面１１に表示する。なお、「ダムゲート制御情報処理システム」１００は、ダムゲートの開閉操作を行うためのシステムであり、図示しない「ダムゲート制御装置」と「ダム情報処理装置」とで構成される。
【００３２】
次いで、システム利用者が外部端末１０に表示された複数の機器の中から、例えば、キーボードやマウス操作等によって任意の機器を選択すると、シミュレーション実行手段２２は、選択された機器の操作内容をデータベース２１の機器操作マニュアル情報２１０から取得し、図３（ａ）に示すように、取得した操作内容を仮想的に選択可能に外部端末１０の画面１１に表示する。
【００３３】
なお、機器操作マニュアル情報２１０に上述した緊急対応マニュアル情報が含まれている場合には、例えば、シミュレーション実行手段２２が、所定のタイミングで、ダム放流業務に必要な各機器の仮想の状態、例えば、「良好」、「故障」等を所定のタイミングで設定する。そして、複数の機器のうちの何れかの「機器」の仮想の作動が「故障」と設定されている場合には、シミュレーション実行手段２２は、機器操作マニュアル情報２１０に含まれる緊急対応マニュアル情報を優先的に参照して、外部端末１０で選択された機器の操作内容を取得する。
【００３４】
その後、例えば、図３（ａ）に示す複数の操作内容の項目の中から「観測記録プリンタ」１０３を選択すると、その操作内容として、図３（ｂ）に示すように、「観測記録プリンタ」１０３の印字項目、例えば、「上流雨量」１０３ｂ、「上流河川水位」１０３ｃ等が複数表示される。ここで、操作内容として、例えば、「上流雨量」１０３ｂの項目を選択すると、「上流雨量」１０３ｂが実際の印字の代わりに閲覧可能となる。すなわち、選択した操作内容の実施状況が仮想的に画面に表示される。
【００３５】
なお、例えば、さらに「ダム諸量の確認」をシミュレーションする場合には、図２の画面１１に戻って、「ダムゲート制御情報処理システム」１００を選択する。これにより、図４（ａ）に示すように、「ダムゲート制御装置」１００ａと「ダム情報処理装置」１００ｂとが外部端末１０の画面１１に表示される。ここで「ダム情報処理装置」１００ｂを選択することで、図４（ｂ）に示すように、「ダムの貯水位」１００ｃ、「所定時間間隔における水位差」１００ｄ、「貯水量」１００ｅ、「ゲート開度」１００ｆ、「ゲート放流量」１００ｇ、「ダム放流量」１００ｈ、「発電使用水量」１００ｉ、「責任放流量」１００ｊ、「貯水池放流量」１００ｋ、「流入量」１００ｌ、「予想流入量」１００ｍ、「記録」１００ｎ等の各種操作内容（業務内容）の項目が外部端末１０の画面１１に表示される。そして、これらの項目の中から、「貯水量」１００ｅ等の項目を選択することで「ダム諸量の確認」のシミュレーションを実施することができる。
【００３６】
また、例えば、図４（ｂ）に示す複数の項目の中から「記録」１００ｎの項目を選択すると、図示しないがさらに複数の項目が表示され、その中から対応する項目を選択することで、例えば、「気象情報」が実際の情報連絡の代わりに閲覧可能となる。また、例えば、「各種情報等の発信・受信記録」のシミュレーションを行う場合には、「記録」１００ｎを選択した後、「気象情報」の場合と同様に、複数の項目の中から対応する項目を選択すればよい。また、図２に示すような画面に表示されている複数の機器から「ダムゲート制御情報処理システム」１００を選択した後、図４（ａ）に示す項目から「ダムゲート制御装置」１００ａを選択すると、所定条件に基づいたダムゲートの開閉操作をシミュレーションすることができるようになっている。
【００３７】
また、図２に示す画面で、「通信端末」１０４および「ダムゲート制御情報処理システム」１００を選択した場合、ダム操作規定に定める「通報・通知」の業務をシミュレーションすることができる。また、「操作記録プリンタ」１０２を選択した場合、例えば、日付、時間、貯水位、所定時間間隔における水位差、貯水量、ゲート開度、ゲート放流量、ダム放流量、発電使用水量、責任放流量、貯水池放流量、流入量、予想流入量、及び予定（目標）放流量等、ダム放流業務に係るダム操作に必要なデータを記録及び閲覧可能となっている。なお、図２に示す画面で「遠方操作盤」１０１を選択した場合、「放流警報装置」、「予備電源装置」等各種機器の操作のシミュレーションが可能となっている。
【００３８】
なお、シミュレーション実行手段２２は、ダム状況が「予備警戒時」の場合だけでなく、「その後のダム放流開始時」、「洪水警戒時」、「洪水時」、「ダム放流終了時」等の他のダム状況においても、所定の機器をそれぞれ選択しながら画面表示される各作業項目を適宜選択することにより、複数の機器を用いたダム放流業務のシミュレーションが実施可能となっている。
【００３９】
このように、本発明のダム放流業務シミュレーションシステムでは、システム利用者が、実際の業務手順に沿って、複数の機器及び各機器の操作内容、あるいは各機器を用いた業務内容を選択することで、ダム放流業務のシミュレーションが可能となっているので、ダム状態毎に実際の業務を遂行しているのと同様の臨場感を体感することができる。
【００４０】
なお、本実施形態では、シミュレーション実行手段２２が、シミュレーション開始時に、上述した仮想のダム状況を任意に設定するようにしたが、仮想のダム状況は、任意の時点で再設定されるようにしてもよい。すなわちシミュレーションを実施途中に、仮想のダム状況が変化するようにしてもよい。勿論、この仮想のダム状況は、システム利用者が指定するようにしてもよい。また、システム利用者の指定により、シミュレーション時刻の戻し、進め、速度の変更の設定等ができるようにしてもよい。これにより、色々な対応レベルでのダム放流業務のシミュレーションを行うことができる。
【００４１】
また、上述したように「出水予測」「放流計画情報（総雨量・最大流入量表等）」等の情報がデータベース２１に格納されている場合、これら「出水予測」等の情報を参照して、「最大流入量」「その他の流入量」等の時間的変化を予測することで、よりリアルなシミュレーションを実施することができる。
【００４２】
また、本発明に係るダム操作訓練サーバ２０は、上述したようにシミュレーション実行手段２２と共に、実施順判定手段２４を有する。この実施順判定手段２４は、シミュレーション実行手段２２が表示した操作内容からシステム利用者が選択した１つの操作内容をダム放流業務の１工程とし、ダム放流業務の各工程の実施順を工程実施順データとして記憶すると共に、予め設定された仮想のダム状況及び実施手順情報２１１に基づいて工程実施順データの正・誤を判定する。この実施順判定手段２４は、具体的には、ダム放流業務の実施手順が仮想のダム状況に適していない場合、すなわち図２に示す複数の機器、あるいは図４に示す複数の操作内容の項目の選択順序（工程実施順データ）が仮想のダム状況に適していない場合、システム利用者にエラー情報を提示する。例えば、警告音を発したり、警告メッセージ等を外部端末１０の画面に表示したりする。
【００４３】
これにより、システム利用者は、ダム放流業務の実施手順が間違ったことを認識することができ、その後に、正しい実施手順を確認することで、ダム放流業務を確実に習得することができる。なお、システム利用者へのエラー情報の提示は、操作内容等の項目を選択した時点で行うようにしてもよいし、勿論、ダム放流業務のシミュレーションが一通り終わった段階で行うようにしてもよい。
【００４４】
以上説明したように、本実施形態のシステムでは、システム利用者が外部端末１０からネットワーク３０を経由してダム操作訓練サーバ２０にアクセスし、外部端末１０の操作で、複数の機器を用いたダム放流業務をシミュレーションすることができるため、ダム放流業務の訓練をどこの場所にいても受けることができる。また、実施順判定手段２４が、誤操作を指摘するようにしているので、システム利用者は、繰り返しシミュレーションを実施することで、ダム放流業務の作業内容を早期に習得することができる。さらに、システム利用者は、本実施形態のシステムを利用することで、時間等を有効活用することができ、コストの大幅な削減を図ることができる。
【００４５】
以上、本発明の一実施形態について説明したが、本発明は上述した実施形態に限定されるものではない。例えば、上述した実施形態では、１つの外部端末１０とダム操作訓練サーバ２０とをネットワークを介して接続したシステムを例示したが、本発明は勿論これに限定されるものではない。例えば、複数の外部端末１０とダム操作訓練サーバ２０とがネットワークを介して接続され、シミュレーション実行手段２２が、複数の各外部端末１０に対して、それぞれ異なる機器を仮想的に選択可能に表示し、各外部端末１０で選択された機器の操作内容を、他の外部端末１０で選択された機器の操作内容に基づいて機器操作マニュアル情報から取得するようにしてもよい。
【００４６】
すなわち、このようなシステムとすることで、独立した１ダムにおけるダム放流業務を、一人のシステム利用者がシミュレーションすることができることは勿論、例えば、独立した１ダムにおけるダム放流業務を、複数のシステム利用者が連係してシミュレーションできるようにしてもよい。また、例えば、独立した複数のダムにおける各ダム放流業務を、一人のシステム利用者がシミュレーションできるようにしてもよく、複数のシステム利用者が連係してシミュレーションできるようにしてもよい。さらに、連係した複数のダムにおける一連のダム放流業務を、一人のシステム利用者がシミュレーションすることができるようにしてもよく、複数のシステム利用者が連係してシミュレーションすることができるようにしてもよい。なお、上記のような何れの形態でシミュレーションを行うかは、システム利用者が設定するようにしてもよいし、本システムを管理するシステム管理者が行うようにしてもよい。
【図面の簡単な説明】
【００４７】
【図１】本発明の一実施形態に係るダム放流業務シミュレーションシステムを示す概略構成図である。
【図２】本発明の一実施形態に係る外部端末の画面の一例を示す概略図である。
【図３】本発明の一実施形態に係る外部端末の画面の一例を示す概略図である。
【図４】本発明の一実施形態に係る外部端末の画面の一例を示す概略図である。
【符号の説明】
【００４８】
１０  外部端末
２０  ダム操作訓練サーバ
２１  データベース
２２  シミュレーション実行手段
２３  送受信手段
２４  実施順判定手段
３０  ネットワーク
１００  ダムゲート制御情報処理システム
１０１  遠方操作盤
１０２  操作記録プリンタ
１０３  観測記録プリンタ
１０４  通信端末
２１０  機器操作マニュアル情報
２１１  実施手順情報
【図１】
2008040354.tif 000003
【図２】
2008040354.tif 000004
【図３】
2008040354.tif 000005
【図４】
2008040354.tif 000006